Podtech/llm-jp-corpus-v4-ja_patent huggingface dataset:
(57)【要約】      （修正有）【課題】圧縮空気によりＡ地点からＢ地点へワークを搬送するロート式搬送装置を提供する。【解決手段】ロート式搬送装置は、Ａ地点で測定機により測定及び選別機により選別が完了した小型電子部品５は、インデックステーブルから圧空で搬送用チューブ１内に送り込まれ、Ｂ地点直前に配置されたロート２の上部最大径付近横方向に放出される。小型電子部品５は、ロート２内側の上半部が緩やかな縮径から下半部が急激な縮径となっている湾曲断面を旋回しながら減速してＢ地点の回収容器又は良品回収ボックスに落下する。搬送用の圧空は、ロート２の上部蓋体４の中央開口３及びロート２下部開口より排圧される。【選択図】図１
0003140875.tif 000002
【実用新案登録請求の範囲】
【請求項１】
上流側を圧空装置に位置し下流側をロートの蓋体に貫通された搬送用チューブと、上部が大径で下部へ徐々に小径となる側面が曲面となっているロートと、該ロートの上部開口を塞ぎ、中央部に排気開口を有する蓋体から構成されることを特徴とするロート式搬送装置。
【請求項２】
前記搬送用チューブの下流側開口は、前記蓋体を貫通し前記ロートの上部最大径付近の横方向に接続されることを特徴とする請求項１記載のロート式搬送装置。
【請求項３】
前記ロートは、上半部が緩やかな縮径で、下半部が急激な縮径となっている湾曲断面からなることを特徴とする請求項１記載のロート式搬送装置。
【考案の詳細な説明】
【技術分野】
【０００１】
本考案は、圧縮空気によりＡ地点からＢ地点へワークを搬送するロート式搬送装置に関する。
【背景技術】
【０００２】
従来、圧縮空気によりＡ地点からＢ地点へワークを搬送する搬送装置が一般的に知られている（特許文献１を参照）。
この公知技術では、図３に示すように、第２搬送ユニット（１０２）の第２回転体（１５０）により回転搬送されている電子部品（１）に対して、エアーを吹き付けるエアノズル（２１２）と、このエアノズル（２１２）に対向して配置され且つエアノズル（２１２）により吹き飛ばされた電子部品（１）を回収する回収部（２１３）とを備えており、前記回収部（２１３）は、円筒状の筒（２１４）と、この筒（２１４）に連通できるように接続され且つ吹き飛ばされた電子部品（１）を前記筒（２１４）内に案内する案内管（２１５）と、前記筒（２１４）の下端部に配置され且つ前記筒（２１４）に案内された電子部品（１）を集める漏斗（２１６）を備え、前記案内管（２１５）を通って案内された電子部品（１）は、前記筒（２１４）内のサイクロン気流により、前記筒（２１４）の周壁に沿って旋回しながら落下し、前記漏斗（２１６）で集められて回収されるものである。
【特許文献１】特開２００４−１０２５４号公報
【考案の開示】
【考案が解決しようとする課題】
【０００３】
本考案は、圧縮空気によりＡ地点からＢ地点へワークを搬送するロート式搬送装置を提供することを目的とする。
【課題を解決するための手段】
【０００４】
本考案のロート式搬送装置は、上流側を圧空装置に位置し下流側をロートの蓋体に貫通された搬送用チューブと、上部が大径で下部へ徐々に小径となる側面が曲面となっているロートと、該ロートの上部開口を塞ぎ、中央部に排気開口を有する蓋体から構成されるものである。
前記搬送用チューブの下流側開口は、前記蓋体を貫通し前記ロートの上部最大径付近の横方向に接続されるものである。
前記ロートは、上半部が緩やかな縮径で、下半部が急激な縮径となっている湾曲断面からなるものである。
【考案の効果】
【０００５】
本考案のロート式搬送装置は、ワークを圧縮空気で搬送し、サイクロン方式でワークを回収できるので、ワークに損傷を与えることなく移送できる効果がある。
【考案を実施するための最良の形態】
【０００６】
本考案のロート式搬送装置の一実施例を添付図面に基づいて、以下に説明する。
図１に示すように、本考案のロート式搬送装置は、上流側を圧空装置に位置し下流側をロート２の蓋体４に接続された搬送用チューブ１と、上部が大径で下部へ徐々に小径となる側面が曲面となっているロート２と、該ロート２の上部開口を塞ぎ、中央部に排気開口３を有する蓋体４から構成される。
前記搬送用チューブ１は、ワーク５の搬送を確認できるように透明又は半透明の可撓性合成樹脂材料から形成される。
前記ロート２は、ステンレス製、アルミ製又は合成樹脂材料から形成され、上半部が緩やかな縮径で、下半部が急激な縮径となっている湾曲断面からなる。
前記ワーク５は、チップコンデンサー、チップ抵抗などの小型電子部品である。
【０００７】
次に、本考案のロート式搬送装置の操作動作を添付図面に基づいて、以下に説明する。
Ａ地点で測定機により測定及び選別機により選別が完了した小型電子部品５は、インデックステーブルから圧空で搬送用チューブ１内に送り込まれ、Ｂ地点直前に配置されたロート２の上部最大径付近横方向に放出される。
小型電子部品５は、前記ロート２内側の上半部が緩やかな縮径から下半部が急激な縮径となっている湾曲断面を旋回しながら減速してＢ地点の回収容器又は良品回収ボックスに落下する。
搬送用の圧空は、前記ロート２の上部蓋体４の排気開口３及びロート２下部開口より排圧される。
本考案のロート式搬送装置は、小型電子部品を単品で連続して搬送する機構であり、搬送時の落差及び距離が変動しても、小型電子部品への衝撃値はほぼ同一となる。
【図面の簡単な説明】
【０００８】
【図１】本考案のロート式搬送装置の概略を示す説明図である。
【符号の説明】
【０００９】
１  搬送用チューブ
２  ロート
３  排気開口
４  蓋体
５  ワーク(小型電子部品)
【図１】
0003140875.tif 000003
(57)【要約】      （修正有）【課題】容積や重量をコンパクトかつ軽量にすることで携帯しやすい利便性を提供する。【解決手段】本体１を折る目的で細孔２のある平板状にし、必要最小限の形状とすることによりコンパクトかつ軽量になった。その形状において対角線状に切り込みを入れることにより、本体及び被加温物の安定を図った。【選択図】図１
0003140900.tif 000002
【実用新案登録請求の範囲】
【請求項１】
携帯性を高めるため平板を使用時に折り曲げることを特徴とする固形燃料用コンロ。
【請求項２】
前記折り曲げは平板の４隅に対角線方向に斜めに切込みがあり、使用時に折り曲げることで安定性が機能することを特徴とする請求項１記載の固形燃料用コンロ。
【請求項３】
前記平板は板全体に細孔があり、燃焼用空気の確保と軽量化に機能することを特徴とする請求項１記載の防災用固形燃料用コンロ。
【考案の詳細な説明】
【技術分野】
【０００１】
この考案は、固形燃料を使用した調理に用いるコンロの形状に関する。
【背景技術】
【０００２】
従来の固形燃料を使用するコンロは、非使用時に立体的である。
【考案の開示】
【考案が解決しようとする課題】
【０００３】
しかしながら、以上の技術によれば、非常時に使用するために携帯するには容積があり重量もある。
そこで、この考案は容積や重量をコンパクトかつ軽量にすることで携帯しやすい利便性を提供することを課題とする。
【課題を解決するための手段】
【０００４】
以上の課題を解決するために、第一考案は、使用時に折り曲げることを特徴とする固形燃料用コンロである。
【０００５】
また、第二考案は、切り込みを４隅に斜めに設け、その頂点同士をつないだ線で互いに折り曲げることにより、下方は床面と、上方は積載物との接触長を増やしコンロの安定性を高めることを特徴とする固形燃料用コンロである。
【０００６】
また、第三考案は、折り曲げる平板に細孔を設けることにより、燃焼時に必要な空気を確保することと重量を軽量化することを特徴とする固形燃料用コンロである。
【考案の効果】
【０００７】
第一考案、または第二考案、または第三考案によれば、固形燃料用コンロを携帯するためにコンパクトかつ軽量である。
【考案を実施するための最良の形態】
【０００８】
この考案の一実施形態を、図１及び図２に示す。携帯用コンロの本体１は金属製であり、平板状である。この平板には細孔２が設けられており、また４隅から中央方向に切り込み３が設けられている。使用時に切り込みの各頂点を結ぶライン４で互いに折り、上部のへこみ５に固形燃料６を置き、その上に被加温物７を置きコンロとしての目的を果たす。
【０００９】
「実施形態の効果」
この実施形態によれば、図２の未使用時の形状は平板状でコンパクトである。図１のように使用時に折ることにより、燃焼のための空間を確保し、また切り込みの形状により最大限の安定性を確保する。また平板に設けられた細孔の働きで、燃焼時に必要な空気を供給しやすく、重量もより軽量になる。
【００１０】
「他の実施形態」
図１の実施形態では、平板は正方形であり、板厚は０．５ｍｍ、細孔は直径０．２ｍｍであるが、他の実施形態では、平板の形状は長方形、板厚は必要強度、必要空気量の細孔で良い。
【図面の簡単な説明】
【００１１】
【図１】この考案の一実施形態を示す使用時の斜視図である。
【図２】この考案の一実施形態を示す未使用時に上方から見た図である。
【図３】この考案の一実施形態を示す使用時の正面図である。
【符号の説明】
【００１２】
１  携帯コンロ本体            ２  細孔
３  切り込み                  ４  各頂点を結ぶライン
５  へこみ                    ６  固形燃料
７  被加温物
【図１】
0003140900.tif 000003
【図２】
0003140900.tif 000004
【図３】
0003140900.tif 000005
【手続補正書】
【提出日】平成20年1月28日(2008.1.28)
【手続補正１】
【補正対象書類名】実用新案登録請求の範囲
【補正対象項目名】全文
【補正方法】変更
【補正の内容】
【実用新案登録請求の範囲】
【請求項１】
平板の４隅に斜めに切込みがあり、使用時に折り曲げることで安定性が機能することを特徴とする固形燃料用コンロ。
【請求項２】
前記平板は板全体に細孔があり、燃焼用空気の確保と軽量化に機能することを特徴とする請求項１記載の防災用固形燃料用コンロ。
【手続補正２】
【補正対象書類名】明細書
【補正対象項目名】全文
【補正方法】変更
【補正の内容】
【考案の詳細な説明】
【技術分野】
【０００１】
この考案は、固形燃料を使用した調理に用いるコンロの形状に関する。
【背景技術】
【０００２】
従来の固形燃料を使用するコンロは、非使用時に立体的である。
【考案の開示】
【考案が解決しようとする課題】
【０００３】
しかしながら、以上の技術によれば、非常時に使用するために携帯するには容積があり重量もある。そこで、この考案は容積や重量をコンパクトかつ軽量にすることで携帯しやすい利便性を提供することを課題とする。
【課題を解決するための手段】
【０００４】
以上の課題を解決するために、第一考案は、切り込みを４隅に斜めに設け、使用時にその頂点同士をつないだ線で互いに折り曲げることにより、下方は床面と、上方は積載物との接触長を増やしコンロの安定性を高めることを特徴とする固形燃料用コンロである。
【０００５】
また、第二考案は、折り曲げる平板に細孔を設けることにより、燃焼時に必要な空気を確保することと重量を軽量化することを特徴とする固形燃料用コンロである。
【考案の効果】
【０００６】
第一考案、または第二考案によれば、固形燃料用コンロを携帯するためにコンパクトかつ軽量である。
【考案を実施するための最良の形態】
【０００７】
この考案の一実施形態を、図１及び図２に示す。携帯用コンロの本体１は金属製であり、平板状である。この平板には細孔２が設けられており、また４隅から中央方向に切り込み３が設けられている。使用時に切り込みの各頂点を結ぶライン４で互いに折り、上部のへこみ５に固形燃料６を置き、その上に被加温物７を置きコンロとしての目的を果たす。
【０００８】
「実施形態の効果」
この実施形態によれば、図２の未使用時の形状は平板状でコンパクトである。図１のように使用時に折ることにより、燃焼のための空間を確保し、また切り込みの形状により最大限の安定性を確保する。また平板に設けられた細孔の働きで、燃焼時に必要な空気を供給しやすく、重量もより軽量になる。
【０００９】
「他の実施形態」
図１の実施形態では、平板は正方形であり、板厚は０．５ｍｍ、細孔は直径０．２ｍｍであるが、他の実施形態では、平板の形状は長方形、板厚は必要強度、必要空気量の細孔で良い。
【図面の簡単な説明】
【００１０】
【図１】この考案の一実施形態を示す使用時の斜視図である。
【図２】この考案の一実施形態を示す未使用時の斜視図である。
【図３】この考案の一実施形態を示す使用時の正面図である。
【符号の説明】
【００１１】
１  携帯コンロ本体            ２  細孔
３  切り込み                  ４  各頂点を結ぶライン
５  へこみ                    ６  固形燃料
７  被加温物
(57)【要約】【課題】  ソーラーパネルを車椅子、自転車、オートバイ、ハンドマイク等に搭載し、補助電源とする。こうする事により、自然のエネルギーである、太陽光を利用し、環境対策にもなり、波及効果は大きい。【解決手段】  ソーラーパネルを適宜、車椅子、自転車、オートバイ、ハンドマイク等に搭載し、補助電源とする。こうする事により、自然のエネルギーである、太陽光を利用し、環境対策にもなり、波及効果は大きい。【選択図】図１
0003140891.tif 000002
【実用新案登録請求の範囲】
【請求項１】
ソーラー発電機つき車椅子に関するその装置
【請求項２】
ソーラー発電機つき自転車に関するその装置
【請求項３】
ソーラー発電機つきオートバイ等に関するその装置
【請求項４】
ソーラー発電機つきハンドマイクに関するその装置
【考案の詳細な説明】
【技術分野】
【０００１】  現在、はソーラー発電機つき車椅子、自転車、オートバイ、ハンドマイク等に関するその装置及は皆無である。この装置が実現されれば、環境対策にもなる。波及効果は大きい。
【背景技術】
【０００２】  現在、はソーラー発電機つき車椅子、自転車、オートバイ、ハンドマイク等に関するその装置及は皆無である。この装置が実現されれば、環境対策にもなる。波及効果は大きい。
特許電子図書館及びＤｒｅａｍＪ２で検索しても、全くない。
【考案の開示】
【考案が解決しようとする課題】
【０００３】  ソーラー発電機つき車椅子、自転車、オートバイ、ハンドマイク等に関するその装置及は皆無である。
この装置が実現されれば、環境対策にもなり、波及効果は大きい。
【課題を解決するための手段】
【０００４】  ソーラーパネルを車椅子、自転車、オートバイ、ハンドマイク等に搭載し、補助電源とする。こうする事により、環境対策にもなり、波及効果は大きい。
【考案の効果】
【０００５】  ソーラー発電機を車椅子、自転車、オートバイ、ハンドマイク等の補助電源とする事により、太陽光の利用の促進、ひいては、環境対策にもなり、波及効果は大きい。
車椅子、自転車、オートバイ、ハンドマイク等は全国、全世界に多くあり、考案の効果は非常に多きい。
【考案を実施するための最良の形態】
【０００６】  ソーラーパネルを車椅子、自転車、オートバイ、ハンドマイク等に搭載し、補助電源とする。こうする事により、自然のエネルギーである、太陽光を利用し、環境対策にもなり、波及効果は大きい。
【実施例】
【０００７】  図１にハンドマイク、図２にオートバイの実施例を示す。
【産業上の利用可能性】
【０００８】  ソーラー発電機を車椅子、自転車、オートバイ、ハンドマイク等の補助電源とする事により、太陽光の利用の促進、ひいては、環境対策にもなり、波及効果は大きい。
産業上の利用可能性は極めて高い。
【図面の簡単な説明】
【０００９】
【図１】オートバイの側面図
【符号の説明】
【００１０】  ａ  ソーラー発電機
【図１】
0003140891.tif 000003
【手続補正書】
【提出日】平成19年12月27日(2007.12.27)
【手続補正１】
【補正対象書類名】実用新案登録請求の範囲
【補正対象項目名】全文
【補正方法】変更
【補正の内容】
【実用新案登録請求の範囲】
【請求項１】
ソーラー発電機つき車椅子
【請求項２】
ソーラー発電機つき自転車
【請求項３】
ソーラー発電機つきオートバイ
【請求項４】
ソーラー発電機つきハンドマイク
【手続補正２】
【補正対象書類名】明細書
【補正対象項目名】０００７
【補正方法】変更
【補正の内容】
【０００７】  図１にオートバイ、図２に電動自転車、図３にハンドマイク及び、図４に電動車椅子の実施例を示す。
【手続補正３】
【補正対象書類名】明細書
【補正対象項目名】００１０
【補正方法】変更
【補正の内容】
【００１０】  ４角い黒い部分がソーラー発電機である。ソーラー発電機から得られる電気の出力は、それぞれのバッテリーに接続され、バッテリーの補助電源となる。
【手続補正４】
【補正対象書類名】図面
【補正対象項目名】全図
【補正方法】変更
【補正の内容】
【図１】
0003140891.tif 000004
【図２】
0003140891.tif 000005
【図３】
0003140891.tif 000006
【図４】
0003140891.tif 000007
(57)【要約】      （修正有）【課題】ハンドリフトを使用することによって作業内容を簡素化し労働力及び設備機器の経費負担を軽減する。【解決手段】ハンドドラッジ３を全ネジ金属棒１の方向に動作させることによりハンドドラッジ３が全ネジ金属棒１から離れてハンドドラッジ３を簡単に揚げ下げさせて、定位置で手をはなすことにより、ハンドドラッジ３が全ネジ金属棒１に、全ネジ金属棒１とハンドドラッジ３がスプリング４の力によって密着固定される。この簡単な操作により、作業内容の簡素化、労働力及び設備機器の経費負担の軽減を計ることが出来る。【選択図】図１
0003140899.tif 000002
【実用新案登録請求の範囲】
【請求項１】
全ネジ金属棒に荷受座板を嵌合し、荷受座板を支えるハンドドラッジとハンドドラッジの先端を開閉出来るように構成されたハンドリフト。
【請求項２】
スプリングの力でハンドドラッジと全ネジ金属棒を常時密着固定した請求項1に記載のハンドリフト。
【請求項３】
全ネジ溝の断面を直角三角形にしてハンドドラッジを強化した請求項1又は2に記載のハンドリフト。
【考案の詳細な説明】
【技術分野】
【０００１】
本考案は、軽重量物を人力の手で揚げ下げするためのハンドリフトに関するものである。
【背景技術】
【０００２】
軽重量物を外部動力及び機械的に揚げ下げする商品はあるが、価格的に高価であり、現地までの輸送及び組み立てに時間がかかり作業スペースもとる。
【考案の開示】
【考案が解決しようとする課題】
【０００３】
本考案は、従来は外部動力及び機械を使い軽重量物を揚げ下げする為、経済的負担も大きく、又2人以上でないと作業が出来なかったのに対し、本考案のハンドリフトを使用することで１人でも簡単に作業出来、価格も安価で、前述の欠点を解決しようとするものである。
【課題を解決するための手段】
【０００４】
本考案は全ネジ金属棒１に、半円型の内側にネジ溝の付いた、取っ手付金具ハンドドラッジを、スプリング４の力によって全ネジ金属棒１を両方からはさみ密着固定する。軽重量物を揚げ下げするときは、手の力によって半円型の内側にネジ溝の付いた取っ手付金具ハンドドラッジ３の先端を握ることにより、全ネジ金属棒１から取っ手付金具ハンドドラッジ３が離れて簡単に揚げ下げ出来ることにより問題点を解決した。
【考案の効果】
【０００５】
以上説明した本考案は外部動力及び機械の力によらず、人間の手の力で簡単に、軽重量物を揚げ下げすることが出来るので、経済的、時間の短縮、作業員の労働力軽減、作業範囲の縮小により、作業効率向上に役立つ。
【考案を実施するための最良の形態】
【０００６】
本考案は主に空調設備機器の内機を簡素化して取り付けるために考案したものである。図９、図１０で、天井に本考案品ハンドリフトを４箇所取り付け、荷受座板に軽重量物を載せハンドドラッジの取っ手を握ることにより全ネジ金属棒からハンドドラッジが離れ簡単に軽重量物を揚げ下げさせて、定位置でハンドドラッジの取っ手から手を離すことで、ハンドドラッジのスプリングの力により密着固定され定位置で停止させる。このように作業が簡単で、短時間で作業スペースも狭く能率的である。
【実施例】
【０００７】
以下、本考案の実施の形態を図面に基づき詳細に説明する。
図１〜図１０は本考案の第1の実施の形態に係り、図1は停止状態の立体図面の荷受座板２に軽重量物を載せハンドドレッジ３の取っ手を全ネジ金属棒１の方向に動作させ、全ネジ金属棒１とハンドドラッジ３が離れることにより、ハンドドラッジを簡単に揚げ下げする。定位置でハンドドラッジから手を離すことにより、全ネジ金属棒１とハンドドラッジ３が密着固定される。
【図面の簡単な説明】
【０００８】
【図１】本考案の立体停止状態図である。
【図２】本考案の立体動作状態図である。
【図３】本考案の停止状態図である。
【図４】本考案の動作状態図である。
【図５】図１の停止状態の側面の断面図である。
【図６】図２の動作状態の側面の断面図である。
【図７】図１の下部面から見た静止状態の断面図である。
【図８】図２の下部面から見た動作状態の断面図である。
【図９】軽重量物をハンドリフトに載せた動作状態である。
【図１０】軽重量物をハンドリフトに載せた停止状態である。
【符号の説明】
【０００９】
１      全ネジ金属棒
２      荷受座板
３、６  ハンドドラッジ
４      スプリング
５      スプリング固定金具
７      軽重量物
【図１】
0003140899.tif 000003
【図２】
0003140899.tif 000004
【図３】
0003140899.tif 000005
【図４】
0003140899.tif 000006
【図５】
0003140899.tif 000007
【図６】
0003140899.tif 000008
【図７】
0003140899.tif 000009
【図８】
0003140899.tif 000010
【図９】
0003140899.tif 000011
【図１０】
0003140899.tif 000012
【手続補正書】
【提出日】平成20年2月4日(2008.2.4)
【手続補正１】
【補正対象書類名】実用新案登録請求の範囲
【補正対象項目名】全文
【補正方法】変更
【補正の内容】
【実用新案登録請求の範囲】
【請求項１】
全ネジ金属棒に荷受座板を嵌合し、荷受座板を支えるための、半円形の内側にネジ溝の付いた、取っ手付金具ハンドドラッジをスプリングの力によって、全ネジ金属棒に両方からはさみ密着固定し、手の力によって、取っ手付金具ハンドドラッジの先端を全ネジ金属金棒の方向に握ることにより、全ネジ金属棒から取っ手付金具ハンドドラッジが離れるように構成されたハンドリフト。  
【請求項２】
スプリングの力で取っ手付金具ハンドドラッジと全ネジ金属棒を常時密着固定した請求項１に記載のハンドリフト。
【請求項３】
全ネジ溝の断面を直角三角形にして取っ手付金具ハンドドラッジを強化した請求項１又は２に記載のハンドリフト。
(57)【要約】      （修正有）【課題】通常のとおり名刺として使用しながらも、しおりやクリップ等の多目的な用途に利用でき、渡した相手に注目や印象を与えられることができる名刺を提供する。【解決手段】名刺本体に木材を使用し、表面にＵ字形またはＶ字形、コ字形、円弧形などのスリットを設け、引っ掛けたり、はさんだりできるようになっている。【選択図】図１
0003140897.tif 000002
【実用新案登録請求の範囲】
【請求項１】
木材によって形成され、表面にＵ字形またはＶ字形、コ字形、円弧形などのようなスリットが設けられたことを特徴とする名刺。
【考案の詳細な説明】
【技術分野】この考案は、しおり、クリップ、名札など多目的な用途に利用できる名刺に関するものである。
【背景技術】日本では初対面のときや商取引などを行う場合に、名刺交換をすることが一般的であるが、その機会は多く、その中でいかに強く名刺を渡した相手に注目や印象を与えられるかが重要になる場合がある。そこで、形状を従来の大きさや形と異なるようにすると、注目や印象を与えることはできるが、名刺入れや名刺ケースの中に保管することが難しくなったりと、相手にマイナスの印象を与えかねない。
【考案の開示】
【考案が解決しようとする課題】しかしながら、従来の一般的な名刺では、それ自体で注目や印象を与えるのは難しく、他者の名刺との差別化を図れなかった。そこで本考案は、本来の名刺の役割を有し、他者の名刺とも同じように保管できながらも、多目的な用途に利用できることで他者の名刺とは差別化できる名刺を提供することである。
【課題を解決するための手段】この考案は、名刺本体に木材を使用し、表面にＵ字形またはＶ字形、コ字形、円弧形などのスリットを設け、引っ掛けたり、はさんだりできるようになっている。
【考案の効果】木材で形成された名刺は相手に注目を与えることができる。また、従来の規格品と同じ外形にすることで特別な措置をするとこなく保管することができるが、材質が他の名刺と異なる為、他の名刺の中からも見つけやすくなっている。また、Ｕ字形等のスリットをいれることで、しおりやクリップなどの様にも使用でき、より強い印象を与えることができる。
【考案を実施するための最良の形態】本考案を実施するための最良の形態を以下の図に示す実施例に基づいて説明する。
【実施例】以下、本考案の実施例を図面により説明する。図１は本考案の一実施例の名刺の正面図であり、本体は木材を薄く削ったものでできていて、一般に市場に出回っている名刺と同じ大きさの矩形状に形成したものであり、名刺１の上部にはＵ字形のスリット２が形成されている。この名刺１の下部の空白部分には、通常の名刺と同じように、会社名３、氏名４、会社所在地５、電話番号６等が記されている。
【産業上の利用可能性】本考案は名刺について述べてきたが、それ以外でも、名札や広告など薄い板状のものであれば利用できる可能性がある。
【図面の簡単な説明】
【図１】名刺の正面図
【符号の説明】
１  名刺２  スリット３  会社名４  氏名５  会社所在地６  電話番号
【図１】
0003140897.tif 000003
(57)【要約】      （修正有）【課題】冷蔵庫の外装にシェルフを設けて、冷蔵庫の機能と冷蔵を必要としない小物類用の収納および陳列家具機能を一体化させる。【解決手段】冷蔵庫の断熱扉の外側に、ネジ状の金具を固定するための穴を断熱効果が損なわれない程度の深さに予め複数個所設けておいて、ネジ状の金具を介して冷蔵庫の断熱扉とシェルフを固定することにより、冷蔵庫の断熱扉とシェルフを一体化させる。【選択図】図１
0003140898.tif 000002
【実用新案登録請求の範囲】
【請求項１】
冷蔵庫の断熱扉の外側にシェルフを設けた外部シェルフ付き冷蔵庫。
【請求項２】
請求項１において、冷蔵庫の断熱扉の外側に、ネジ状の金具を固定するための穴を断熱効果が損なわれない程度の深さに予め複数個所設けておいて、ネジ状の金具を介して冷蔵庫の断熱扉とシェルフを固定することを特徴とした外部シェルフ付き冷蔵庫。
【請求項３】
請求項１において、シェルフを取り付ける断熱扉の設置位置を後退させることにより、扉の外側にシェルフを取り付けることによる凹凸を抑えた外部シェルフ付き冷蔵庫。
【請求項４】
請求項１において、シェルフ内の収納物の落下を防ぐための落下防止柵を設けた外部シェルフ付き冷蔵庫。
【請求項５】
請求項１において、シェルフの内側に照明器具を設けた外部シェルフ付き冷蔵庫。
【請求項６】
請求項１において、シェルフの材質を木製とした外部シェルフ付き冷蔵庫。
【請求項７】
断熱扉の外側にシェルフを設けた外部シェルフ付き冷蔵庫に取り付けることを可能としたシェルフ。
【請求項８】
棚板の枚数や位置を可変できる構造とした外部シェルフ付き冷蔵庫に取り付けることを可能としたシェルフ。
【考案の詳細な説明】
【技術分野】
【０００１】本考案は、冷蔵庫の外部デザインに関するものである。
【背景技術】
【０００２】一般に冷蔵庫の設置場所であるキッチンやダイニングなどにおいて、調味料用などの小瓶や、コンパクト・ディスク、文庫本などの小物類を手軽に収納して取り出せる設え、あるいは飾って楽しめる設えを望む場合には、その目的のための家具を据え付けるか、あるいは造り付ける場合が多かった。
【考案の開示】
【考案が解決しようとする課題】
【０００３】キッチンやダイニングに据付家具や造付家具を増設することは、設置スペースや資金面などの制約により容易でないことがある。また、収納箇所が分散することによる不便や、家具と家具の隙間によるデッド・スペースの問題など不都合があった。そこで、冷蔵庫の外装にシェルフを設け、冷蔵庫の機能と冷蔵を必要としない小物類用の収納および陳列家具機能を一体化させることにより、前述の欠点を解決しようとするものである。
【課題を解決するための手段】
【０００４】本考案は、冷蔵庫の断熱扉の外側に、冷蔵を必要としない小物類用の収納および陳列家具機能を目的とするシェルフを設けることにより、問題点を解決している。例えば、冷蔵庫の断熱扉の外側に、ネジ状の金具を固定するための穴を断熱効果が損なわれない程度の深さに予め複数個所設けておいて、ネジ状の金具を介して冷蔵庫の断熱扉とシェルフを固定することにより、冷蔵庫とシェルフを一体化させることが可能である。あるいは、溶接工事で取り付けることも可能である。
【考案の効果】
【０００５】前述のように、本考案の断熱扉の外側にシェルフを設けた冷蔵庫は、冷蔵庫の本体内部に冷蔵収納の機能を有することは無論だが、加えて、冷蔵庫の本体外部にも、冷蔵を必要としない小物類の収納および陳列機能を併せ持つことにより、キッチンやダイニングなどの限られたスペースにおいて、従来の冷蔵庫設置面積を越えることなく、収納および陳列スペースをコンパクトにまとめて増加させることに役立つ。シェルフ内は棚板で仕切られた構造であるため、調味料用などの小瓶や、コンパクト・ディスク、文庫本などの小物類をきちんと整理して整然と収納、陳列することが可能である。シェルフの形状が空間に陰影を与える効果があるため、冷蔵庫の意匠性の向上にも寄与する。家電製品である特性を生かして、シェルフ内部に照明を仕込むことも容易であり、そうすることによって前述の陰影効果をさらに引き立てることも期待される。シェルフの素材に木などを使用すれば、一般に冷たく無機質な印象のある冷蔵庫の外観に心地良い素材感を加えることも可能である。
【考案を実施するための最良の形態】
【０００６】冷蔵庫の断熱扉の外側に、ネジ状の金具を挿入して固定するための穴を断熱効果が損なわれない程度の深さに予め複数設けておく。一方、シェルフ側にも、ネジ状の金具に固定させる穴を複数設ける。穴の位置を合わせて、ネジ上の金具を挿入して固定することにより、冷蔵庫の断熱扉と外部シェルフを一体化することが出来る。
【実施例】
【０００７】以下、添付図面に従って一実施例を説明する。（２）は冷蔵庫の断熱扉、（３）はシェルフである。冷蔵庫の断熱扉とシェルフを取り付けるための穴（６）を介して、双方がネジ状の金具で固定されることにより、冷蔵庫の断熱扉とシェルフが一体化している。
【図面の簡単な説明】
【０００８】
【図１】本考案の外部シェルフ付き冷蔵庫の一実施例を示す正面図である。
【図２】本考案の外部シェルフ付き冷蔵庫の一実施例を示す側面図である。
【符号の説明】
【０００９】（１）冷蔵庫本体
（２）断熱扉
（３）シェルフ
（４）シェルフ棚板
（５）落下防止柵
（６）冷蔵庫の断熱扉とシェルフを固定するためのネジ穴
【図１】
0003140898.tif 000003
【図２】
0003140898.tif 000004
(57)【要約】【課題】明るさ検知センサーを用いずに節電しながら照明の点灯の制御をおこなうプログラム式照明制御装置を提供する。【解決手段】予め記憶された地域毎及び年月日毎の日の入り時刻に照明を点灯させ、予め記憶された地域毎及び年月日毎の日の出時刻に照明を消灯させるプログラム式タイマーを備える。プログラム式タイマーは、電源と照明との間に電気的に接続して設けられる。プログラム式照明制御装置は、プログラム式タイマーが手動にて選択された時、照明へ直接電源を供給する電源供給回線を切断し、電源と照明の間にプログラム式タイマーを電気的に接続する切り替えスイッチを備える。【選択図】図２
0003140883.tif 000002
【実用新案登録請求の範囲】
【請求項１】
電源と照明との間に電気的に接続して設けられ、
前記照明の点灯と消灯を制御するプログラム式タイマーと、
前記プログラム式タイマーの前記照明への電源供給回線からの切断と接続を手動にて切り換える切り替えスイッチと、を有するプログラム式照明制御装置であって、
前記プログラム式タイマーが、
予め記憶された地域毎及び年月日毎の日の入り時刻に前記照明を点灯させ、
予め記憶された地域毎及び年月日毎の日の出時刻に前記照明を消灯させる、
ことを特徴としたプログラム式照明制御装置。
【考案の詳細な説明】
【技術分野】
【０００１】
本考案は、照明を所定の時刻に点灯又は消灯させるプログラム式照明制御装置に関する。
【背景技術】
【０００２】
防犯の目的で、夜間照明を点灯させておく場合がある。しかし、日が昇って明るくなっても、消灯する者が不在の場合は照明を消灯できず、電気の無駄になるという問題があった。
【０００３】
この点に関し、特許文献１には、明るさ検知センサーを設け、この明るさ検知センサーが太陽光を検知したとき照明の制御装置が照明を消灯させる技術が開示されている。
【０００４】
しかし、この技術においては、明るさ検知センサーが故障すると装置が稼働しなくなるという問題点があった。更に、明るさセンサーは日中天候が一時的に悪化した場合でも、点灯してしまうなどの問題点があった。
【特許文献１】特表２００５−５１７２６６号公報
【考案の開示】
【考案が解決しようとする課題】
【０００５】
本発明は上記のような問題点に鑑みてなされたものであり、明るさ検知センサーを用いずに節電しながら照明の点灯の制御をおこなうプログラム式照明制御装置を提供することを目的とする。また、プログラムタイマーが実行中であっても、必要なときに常時点灯、常時オフが可能なプログラム式照明制御装置を提供することを目的とする。
【課題を解決するための手段】
【０００６】
この目的を達成するために、本発明のプログラム式照明制御装置は予め記憶された地域毎及び年月日毎の日の入り時刻に照明を点灯させ、予め記憶された地域毎及び年月日毎の日の出時刻に照明を消灯させるプログラム式タイマーを備えることを特徴とする。
【考案の効果】
【０００７】
本発明のプログラム式照明制御装置によれば、予め記憶された地域毎の日の入り時刻、日の出時刻に合わせて照明の点灯・消灯を制御するプログラム式タイマーを備えたため、明るさ検知センサーが不要となり、照明制御装置の故障の頻度を低減することができる。
【考案を実施するための最良の形態】
【０００８】
本発明のプログラム式照明制御装置の一実施形態を、図面を用いて説明する。図１は本実施形態のプログラム式照明制御装置の外観を示した図である。本実施形態のプログラム式照明制御装置は、格納箱１０に格納される。図１（ａ）は格納箱１０を正面から見た図である。格納箱１０は開閉可能な蓋部１１を有する。図１（ｂ）は格納箱１０を側面から見た図である。
【０００９】
図２は、本実施形態のプログラム式照明制御装置の構成を示す概要図である。本実施形態のプログラム式照明制御装置は、電源２０と照明２５との間に電気的に接続して設けられ、漏電を防止する漏電遮断機２１と、照明２５の点灯と消灯を制御するプログラム式タイマー２３と、プログラム式タイマー２３の制御信号により照明２５への電源の供給と停止を行うリレー２４と、プログラム式タイマー２３の照明２５への電源供給回線からの切断と接続を手動にて切り換える切り替えスイッチ２２と、を有する。
【００１０】
切り替えスイッチ２２は、プログラム式タイマー２３が手動にて選択された時、照明２５へ直接電源を供給する電源供給回線を切断し、電源２０と照明２５の間にプログラム式タイマー２３を電気的に接続する。
【００１１】
切り替えスイッチ２２は、例えば次のような位置に設けることができる。
（１）漏電遮断機２１とプログラム式タイマー２３の間。これは、図２に示す接続例である。この場合、切り替えスイッチ２２はプログラム式照明制御装置と一体に設けることができる。
【００１２】
（２）電源２０と漏電遮断機２１の間。この場合、切り替えスイッチ２２はプログラム式照明制御装置と一体に設けることも、プログラム式照明制御装置とは別体の独立したスイッチとして構成することもできる。切り替えスイッチ２２をプログラム式照明制御装置と別体とした場合は、切り替えスイッチ２２は例えば部屋の壁などの操作しやすい場所に取り付けることができる。
【００１３】
（３）プログラム式タイマー２３と照明２５の間。この場合、切り替えスイッチ２２はプログラム式照明制御装置と一体に設けることも、プログラム式照明制御装置とは別体の独立したスイッチとして構成することもできる。切り替えスイッチ２２をプログラム式照明制御装置と別体とした場合は、切り替えスイッチ２２は例えば部屋の壁などの操作しやすい場所に取り付けることができる。
【００１４】
さらに、切り替えスイッチ２２は例えば部屋ごとに設けることができる。この場合、切り替えスイッチ２２に手動にてＯＮ／ＯＦＦを行う回路を設けることにより、各部屋の照明をプログラム式タイマー２３の動作に関わらず、ＯＮ／ＯＦＦできる。
【００１５】
プログラム式タイマー２３は、予め記憶された地域毎及び年月日毎の日の入り時刻に照明２５を点灯させ、予め記憶された地域毎及び年月日毎の日の出時刻に照明２５を消灯させる。プログラム式タイマー２３は、市販のものを用いることができる。
【００１６】
照明２５は、複数接続されていてもよい。また、供給される電源電圧には制限がない。
【００１７】
以上述べたように、本実施形態においては予め記憶された地域毎及び年月日毎の日の入り時刻に照明を点灯させ、予め記憶された地域毎及び年月日毎の日の出時刻に照明を消灯させるプログラム式タイマーを備えたため、明るさ検知センサーが不要となり、照明制御装置の故障の頻度を低減することができるという効果がある。また、曇天においても正確に動作するという効果がある。
【産業上の利用可能性】
【００１８】
本発明のプログラム式照明制御装置は、防犯用の装置として用いるほか、野菜工場の照明制御に用いることができる。
【図面の簡単な説明】
【００１９】
【図１】プログラム式照明制御装置の外観を示した図である。
【図２】プログラム式照明制御装置の構成を示す概要図である。
【符号の説明】
【００２０】
１０：格納箱、
１１：蓋部、
２０：電源、
２１：漏電遮断機、
２２：切り替えスイッチ、
２３：プログラム式タイマー、
２４：リレー、
２５：照明。
【図１】
0003140883.tif 000003
【図２】
0003140883.tif 000004
(57)【要約】      （修正有）【課題】帽子が頭から飛ばされたり脱落させない、ファッション性に富んだ帽子留め具を提供する。【解決手段】顎下にかける紐状のもの１の端に留め具を設け、その紐１や留め具に装飾を設けた。その留め具がタックピンの場合、キャッチのつまみとその頭の形状を変え、間に装飾を取り付ける空間を設けた。【選択図】図１
0003140886.tif 000002
【実用新案登録請求の範囲】
【請求項１】
顎下にかける紐状のもの（１）の端に留め具（２）を設け、着脱を容易にした帽子留め具。
【請求項２】
紐（１）や留め具（２）に装飾（５）を設けた、請求項１の帽子留め具。
【請求項３】
請求項１の留め具（２）がタックピン（２ａ）の場合、キャッチのつまみ（２ａ−イ）とその頭（２ａ−ハ）の形状を変え、間に装飾を取り付ける空間と滑り止め（２ａ−ロ）を設ける。
【考案の詳細な説明】
【技術分野】
【０００１】  本考案は、帽子が風等で飛ばされたり頭から離れてしまうことを防ぐための具に関するものである。
【背景技術】
【０００２】  従来の帽子の留め具は、クリップのついた紐で帽子と衣類を留めるものであった。
ピンで髪の毛を通し固定するものであった。
取り外しが容易ではない、ゴムや紐が直接帽子についていた。
【考案の開示】
【考案が解決しようとする課題】
【０００３】  従来の帽子の留め具は、帽子と衣類をクリップで留めるというようなものであり、強風や動きによっては帽子が頭から脱落してしまう。
また、ピンのように髪の毛に通し留める具では、それ相当の髪の毛が必要である。
さらに、顎の下にかけるゴムや紐があらかじめ付いている帽子は、ファッション性の観点からすると、とりわけ成人女性には受けが悪く、取り付け外しも容易ではない。
本考案は、以上のような欠点を失くすためになされたものである。
【課題を解決するための手段】
【０００５】  顎下にかける紐状のもの（１）の端に留め具（２）を設ける。
その紐（１）や留め具（２）に装飾（５）を設ける。
その留め具（２）がタックピン（２ａ）の場合、キャッチのつまみ（２ａ−イ）とその頭（２ａ−ハ）の形状を変え、間に装飾を取り付ける空間と溝などの滑り止め（２ａ−ロ）を設ける。
本考案は、以上の構成よりなる帽子留め具である
【考案の効果】
【０００６】  帽子が頭から脱落しない。
髪の毛を必要としない。
あらゆる帽子に容易に着脱ができる。
ファッション性に富む。
【考案を実施するための最良の形態】
【０００７】  紐（１）は革紐やリボンや透明ゴムにビーズ等といったファッション性の高いものを用いる。
紐（１）で伸縮性が乏しいものには、ニューホック（３）や長さの調整具（４）を設け、着脱と調整を容易にする。
留め金（２）は、帽子の内側のテープ部以外には穴を開けたくない、留め具を外部に見せたくない人ようには、安全ピン等（２ｂ）を使用する。
留め具（２）をタックピン（２ａ）にした場合、そのキャッチのつまみ（２ａ−イ）とその頭（２ａ−ハ）の間にワイヤーが巻けるような空間とギザギザの溝等の滑り止め（２ａ−ロ）を施し、装飾（５）を設けることも出来る。
【実施例】
【０００８】  紐（１）を伸縮性が生じるように編んで約３０ｃｍの長さにする。
紐（１）の両端をカシメでとめ、ニューホック（３）、ショールピン（２ｂ）とつなぐ。
ショールピン（２ｂ）を帽子に両端に留める。
収縮性があるのでそのまま顎の下にかけることも出来るが、片方のニューホック（３）で着脱してもよい。紐（１）が不必要の時には、ニューホック（３）のみ外しておいてもよい。【０００９】  約３０ｃｍの紐（１）２本の片端をカシメでとめ、Ｃカン等、タックピン（２ａ）とつなぐ。
タックピンのキャッチのつまみ（２ａ−イ）とその頭（２ａ−ハ）を大きくしカーブをつけ、空間とギザギザの溝で滑り止め（２ａ−ロ）設ける。その空間に蝶や花等モチーフ（５）のワイヤー等を巻つける。
タックピン（２ａ）をを帽子にとりつけ、前を結んで使用する。
【産業上の利用可能性】
【００１０】
【図面の簡単な説明】
【００１１】
【図１】  本考案の斜視平面図である。
【図２】  本考案のタックピン（２ａ）示した拡大図である。
【図３】  本考案を帽子に着した時の平面図である。
【符号の説明】
【００１２】１              紐（状のもの）
２              留め具
２ａ          タックピン
２ｂ          ショール（安全）ピン
２ａ−イ  キャッチのつまみ
２ａ−ロ  滑り止め
２ａ−ハ  キャッチの頭
３              ニューホック
４              長さの調整具
５              装飾
【図１】
0003140886.tif 000003
【図２】
0003140886.tif 000004
【図３】
0003140886.tif 000005
【手続補正書】
【提出日】平成19年8月23日(2007.8.23)
【手続補正１】
【補正対象書類名】実用新案登録請求の範囲
【補正対象項目名】請求項３
【補正方法】変更
【補正の内容】
【請求項３】
紐と帽子をつなぐ留め具（２）がタックピン（２ａ）の場合、キャッチのつまみ（２ａ−イ）とその頭（２ａ−ハ）の形状を変え、間に装飾を取り付ける空間と滑り止め（２ａ−ロ）を設けたタックピン。
【手続補正書】
【提出日】平成19年12月18日(2007.12.18)
【手続補正１】
【補正対象書類名】実用新案登録請求の範囲
【補正対象項目名】請求項３
【補正方法】変更
【補正の内容】
【請求項３】
前記留め具（２）がタックピン（２ａ）であって、キャッチのつまみ（２ａ−イ）とその頭（２ａ−ハ）の間に装飾を取り付ける空間と滑り止め（２ａ−ロ）を設けた請求項１記載の帽子留め具。
(57)【要約】  本考案は、自動車用の装置、特に、フロントガラス、窓または光学装置を洗浄するための液体を供給する手段に関する。  本考案の要点：自動車のフロントガラス・ウォッシャーは、蓋付きの頚部を有する洗浄液タンク及びこのタンクを車体に固定する手段を含み、前記車体の外側から頚部にアクセスできるように前記車体のフロント・フェンダーに蓋付きハッチを設け、このハッチ内に蓋付きの頚部を収容する。【実用新案登録請求の範囲】
【請求項１】
蓋付きの頚部を有する洗浄液タンク及びこのタンクを車体に固定する手段を含む自動車のフロントガラス・ウォッシャーであって、前記車体の外側から前記頚部にアクセスできるように前記車体のフロント・フェンダーに蓋付きハッチを設け、このハッチ内に前記蓋付きの頚部を収容したことを特徴とする前記自動車のフロントガラス・ウォッシャー。
【請求項２】
ホースを介して前記頚部を前記タンクに連結することを特徴とする請求項１に記載のウォッシャー。
【考案の詳細な説明】
【技術分野】
【０００１】
本考案は、車両用の技術的装置、特に、フロントガラス、窓または光学装置を洗浄するための液体を供給する手段に係わる。
【背景技術】
【０００２】
蓋付きの頚部を有する洗浄液槽（タンク）及びタンクを固定するための手段から構成される車両用フロントガラス・ウォッシャーは公知である（ソ連邦実案第１５５１５７１号、Ｂ６０  Ｓ  １／４８、１９９０参照）。
【０００３】
本考案要旨に最も近いのは、蓋付きの頚部を有する洗浄液タンク及びタンクを車体に固定するための手段から構成され、自動車のフロントガラスから氷を除去する装置としてのウォッシャーである（ロシア実案第２２２８８６４号、ｃｌ．Ｂ  ６０  Ｓ  １／４８、２００４）。
【０００４】
このような公知の技術的解決策の欠点は、タンクがその頚部と共にボンネットで覆われたエンジン・ルーム内に配置されることにある。このような配置条件から発生する問題として、車体の汚れた表面と接触したり、加熱された構造物と接触することで損傷したりする恐れがあり、操作上の難点がある。
【考案の概要】
【０００５】
本考案を実施することによって達成される技術的効果は、自動車の窓や光学装置を洗浄する手段を容易に且つ安全に操作できることにある。
【０００６】
このような技術的効果は、車体の外側から頚部にアクセスできるように車体のフロント・フェンダーに蓋付きハッチを設け、このハッチ内に蓋付きの頚部を収容したことを特徴とする、頭書の蓋付きの頚部を有する洗浄液タンク及びタンクを車体に固定するための手段を含む自動車のフロントガラス・ウォッシャーによって達成される。
【０００７】
本考案は、ホースを介して頚部をタンクに連結することによっても上記効果を達成することができる。
【図面の簡単な説明】
【０００８】
【図１】ウォッシャーの実施形態を示す簡略図。
【図２】ホース付きウォッシャーの実施形態を示す簡略図。
【考案を実施するための最良の形態】
【０００９】
本考案の技術的解決策の要点を添付の図面を参照して以下に説明する。添付の図面において、図１はウォッシャーの実施形態を示す簡略図であり、図２はホース付きウォッシャーの実施形態を示す簡略図である。
【００１０】
フロントガラス・ウォッシャーは、洗浄液槽（タンク）１を含む。着脱自在な蓋５で覆われる頚部４は、ソケット２またはホース３を介してタンク１に連結される。タンク１は、車体の外側から頚部４にアクセスできるように、例えば、車体のフロント・フェンダー６内に固定することができ、その場合、車体のフロント・フェンダー６内に蓋８を有する外側ハッチ７を設ける。頚部４は、その蓋５と共にこの外側ハッチ７内に収容される。ソケット２を介してタンク１を頚部４と連結する場合には、（例えば、ボルトのような）固定手段９を介して、車体のフロント・フェンダー６内の、例えば、ハッチ近傍の位置にタンク１を固定する。ホース３を介してタンク１を頚部４に連結する場合には、タンク１を、例えば、自動車の（図示しないが）エンジン・ルーム内に設置し、固定手段９を介して固定することができる。
【００１１】
洗浄液の充填は、ハッチ７の蓋８を取り外し、さらに蓋５を取外した状態で頚部４を介して行うから、汚れた車体表面や加熱された構造物に触れる恐れがない。
【図１】
0003140885.tif 000002
【図２】
0003140885.tif 000003
(57)【要約】      （修正有）【課題】コンブ、ワカメ等海藻の発生を促進する事によって魚のすみかとなる、海中に設置する漁礁である。【解決手段】漁礁の内部には麻袋があり、その中は鉄鋼スクッラプ、腐葉土、木材チップが混入されている、周囲はネット網で構成され、コンブ、海藻類の流出を出来るだけ防止し海中の汚染を防ぐ又使用されない時は上部、下部のクロス補強材を取ることによって折畳みが出来る構造になっている。【選択図】図１
0003140890.tif 000002
【実用新案登録請求の範囲】
【請求項１】
本考案の形状は長方形又は正方形のネット網状の漁礁であって、周囲側面は縦、横、斜めクロス支持柱で構成され下部には網板があり、その上に袋ずめの資材が入った、ネット網式漁礁。
【請求項２】
ネット網式漁礁は上部、下部補強クロス支持柱を取り除くと折り畳んだ状態なり最小のスペースになる。
【請求項３】
漁礁の内部には麻袋があり、その中の材料によって海藻の発生を促進する容器である。
【考案の詳細な説明】
【技術分野】
【０００１】本考案の漁礁は麻袋の中に鉄鋼スクラップ、腐葉土、木材チップ等が混入されコンブ、ワカメ、海藻類の発生を促進するための容器となる。
【背景技術】
【０００２】従来の方法は自然まかせで海藻の発生量が少なくなってきており、漁獲量も年々減少している。【０００３】
【特許文献１】特開  ２００６−２５４７６１
【考案の開示】
【考案が解決しようとする課題】
【０００４】使用されない時はコンパクトに折畳みが出来るため最小の形状となる。【０００５】周囲及び下部はネット、網状の漁礁であって内部の袋をひもで固定すれば外部に流失する事が防止できる。【０００６】漁礁の上部、下部補強クロス支持柱を取付ける事によって、漁礁容器の変形を防止出来る。
【考案の効果】
【０００７】漁礁内部に麻袋を入れる事によって、コンブの森を作り魚介類のすみかとなり産卵場所となる。
【考案を実施するための最良の形態】
【０００８】以下、本考案の実施の形態を図面に基ずき詳細に説明する。【０００９】漁礁の図５下部網板は２、補強クロス支持柱を取り除くと折畳みが出来る構造になっている。【００１０】漁礁上部には１２、吊り上げフックがあり重機を使用して取り付ける事になる。
【実施例】
【００１１】漁礁ネット網目の大きさはイワシ、サンマ等自由に出入り出来る大きさとなる。【００１２】図５下部網板目の大きさはコンブ、ワカメ海藻類の発生をさまたげない網目の大きさとなる。【００１３】本考案漁礁の周囲はネット網で構成されているので、海藻の流失によって海中の汚染を出来るだけ防止する構造になっている。
【図面の簡単な説明】
【００１４】
【図１】前面部開閉トビラが開いた時の斜視図
【図２】下部に網板が入った上部面から見た時の平面図
【図３】漁礁が二つ折りに畳んだ時の斜視図
【図４】漁礁が四つ折りに畳んだ時の斜視図
【図５】下部網板の平面図
【図６】資材の入った袋の斜視図
【符号の説明】
【００１５】１        ネット、網
２        上部、下部補強クロス支持柱
３        前面部出入りトビラ
４        左面部
５        右面部
６        背面部
７        下部網板
８        麻、メッシュ袋（内部に鉄鋼スクラップ、腐葉土、木材チップが混入されている）
９        斜めクロス支持柱
１０      縦支持柱
１１      横支持柱
１２      上部吊り上げフック
１３      浮き子（ブイ）
１４      継ぎ手
【図１】
0003140890.tif 000003
【図２】
0003140890.tif 000004
【図３】
0003140890.tif 000005
【図４】
0003140890.tif 000006
【図５】
0003140890.tif 000007
【図６】
0003140890.tif 000008
【手続補正書】
【提出日】平成19年12月25日(2007.12.25)
【手続補正１】
【補正対象書類名】実用新案登録請求の範囲
【補正対象項目名】全文
【補正方法】変更
【補正の内容】
【実用新案登録請求の範囲】
【請求項１】
長方形又は正方形のネット網状の魚礁であって、周囲側面は縦、横、斜めクロス支持柱で構成され下部には網板があり、その上に袋ずめの資材が入った、ものとしたことを特徴とするネット網式魚礁。
【請求項２】
ネット網式魚礁は上部、下部補強クロス支持柱を取り除くと折り畳んだ状態を可能としたことを特徴とする、請求項１記載のネット網式魚礁。
【請求項３】
魚礁の内部には麻袋があり、その中の材料によって海藻の発生を促進することを特徴とする、請求項１記載のネット網式魚礁。